(57)【要約】【課題】リンク故障を処理する方法及び関連した通信装置を提供する。【解決手段】リンク故障を処理するための通信装置は、命令を格納するための記憶装置と、記憶装置に結合された処理手段とを備える。処理手段は、記憶装置に格納される命令を実行するように構成される。命令は、第１の上りリンク（ＵＬ）キャリア及び第１の下りリンク（ＤＬ）キャリアによって主基地局と通信し、第２のＵＬキャリア及び第２のＤＬキャリアによって補助基地局と通信し、主基地局と通信している間に補助基地局に関連したリンク故障を検出し、リンク故障を報告するために、主基地局に対して補助基地局に関連したリンク故障の情報及び測定結果の情報を送信することを含む。【選択図】図２
2015204631.tif 000002
【特許請求の範囲】
【請求項１】
リンク故障を処理するための通信装置であって、
第１の上りリンク（ＵＬ）キャリア及び第１の下りリンク（ＤＬ）キャリアによって主基地局と通信し、
第２のＵＬキャリア及び第２のＤＬキャリアによって補助基地局と通信し、
前記主基地局と通信している間に前記補助基地局に関連したリンク故障を検出し、そして
前記リンク故障を報告するために、前記主基地局に対して前記補助基地局に関連した前記リンク故障の情報及び測定結果の情報を送信する、
命令を格納するための記憶装置と、
前記記憶装置に結合され、前記記憶装置に格納される命令を実行するように構成される処理手段とを備える、通信装置。
【請求項２】
前記リンク故障の前記情報及び前記測定結果の前記情報が単一のメッセージ内に存在する、請求項１に記載の通信装置。
【請求項３】
前記リンク故障の前記情報が、前記通信装置によって検出された、前記第２のＤＬキャリア上の無線リンク問題、前記第２のＵＬキャリア上のランダムアクセス問題、又は前記第２のＵＬキャリア上の無線リンク制御（ＲＬＣ）問題を示す、請求項１に記載の通信装置。
【請求項４】
前記測定結果の前記情報が、前記補助基地局に関連した、基準信号受信電力（ＲＳＲＰ）及び基準信号受信品質（ＲＳＲＱ）のうちの少なくとも１つを含む、請求項１に記載の通信装置。
【請求項５】
前記測定結果の前記情報が、前記補助基地局の少なくとも１つのセルに関連している、請求項１に記載の通信装置。
【請求項６】
前記測定結果の前記情報が、少なくとも１つのセルの、少なくとも１つのグローバルセル識別子、少なくとも１つの物理セル識別子、及び少なくとも１つの搬送周波数のうちの少なくとも１つを更に含む、請求項５に記載の通信装置。
【請求項７】
通信装置のためのリンク故障を処理する方法であって、当該方法が、
第１の上りリンク（ＵＬ）キャリア及び第１の下りリンク（ＤＬ）キャリアによって主基地局と通信するステップと、
第２のＵＬキャリア及び第２のＤＬキャリアによって補助基地局と通信するステップと、
前記主基地局と通信している間に前記補助基地局に関連したリンク故障を検出するステップと、
前記リンク故障を報告するために、前記主基地局に対して前記補助基地局に関連した前記リンク故障の情報及び測定結果の情報を送信するステップとを含む、方法。
【請求項８】
前記リンク故障の前記情報及び前記測定結果の前記情報が単一のメッセージ内に存在する、請求項７に記載の方法。
【請求項９】
前記リンク故障の前記情報が、前記通信装置によって検出された、前記第２のＤＬキャリア上の無線リンク問題、前記第２のＵＬキャリア上のランダムアクセス問題、又は前記第２のＵＬキャリア上の無線リンク制御（ＲＬＣ）問題を示す、請求項７に記載の方法。
【請求項１０】
前記測定結果の前記情報が、前記補助基地局に関連した、基準信号受信電力（ＲＳＲＰ）及び基準信号受信品質（ＲＳＲＱ）のうちの少なくとも１つを含む、請求項７に記載の方法。
【請求項１１】
前記測定結果の前記情報が、前記補助基地局の少なくとも１つのセルに関連している、請求項７に記載の方法。
【請求項１２】
前記測定結果の前記情報が、少なくとも１つのセルの、少なくとも１つのグローバルセル識別子、少なくとも１つの物理セル識別子、及び少なくとも１つの搬送周波数のうちの少なくとも１つを更に含む、請求項１１に記載の方法。
【請求項１３】
リンク故障を処理するための通信装置であって、
第１の上りリンク（ＵＬ）キャリア及び第１の下りリンク（ＤＬ）キャリアによって主基地局と通信し、
第２のＵＬキャリア及び第２のＤＬキャリアによって補助基地局と通信し、
前記主基地局と通信している間に前記補助基地局に関連したリンク故障を検出し、そして
前記主基地局又は別の主基地局に対して送信されるメッセージにおいて前記リンク故障の情報の利用可能性を示さない、
命令を格納するための記憶装置と、
前記記憶装置に結合され、前記記憶装置に格納される命令を実行するように構成される処理手段とを備える、通信装置。
【請求項１４】
前記リンク故障の前記情報の前記利用可能性が、“rlf-Info-Available”を含む、請求項１３に記載の通信装置。
【請求項１５】
前記リンク故障の前記情報が、前記通信装置によって検出された、前記第２のＤＬキャリア上の無線リンク問題、前記第２のＵＬキャリア上のランダムアクセス問題、又は前記第２のＵＬキャリア上の無線リンク制御（ＲＬＣ）問題を示す、請求項１３に記載の通信装置。
【請求項１６】
前記リンク故障の前記情報が、前記補助基地局の少なくとも１つのセルに関連している、請求項１３に記載の通信装置。
【請求項１７】
前記リンク故障の前記情報が、少なくとも１つのセルの、少なくとも１つのグローバルセル識別子、少なくとも１つの物理セル識別子、及び少なくとも１つの搬送周波数のうちの少なくとも１つを含む、請求項１６に記載の通信装置。
【請求項１８】
前記命令が、前記主基地局に関連した別のリンク故障を検出すること、及び前記主基地局又は前記別の主基地局に対して前記別のリンク故障の情報の利用可能性を示すことを更に含む、請求項１３に記載の通信装置。
【発明の詳細な説明】
【技術分野】
【０００１】
本発明は、無線通信システムにおいて使用される方法に関し、より詳細には、無線通信システムにおけるリンク故障を処理する方法に関する。
【０００２】
この出願は、２０１４年４月１４日に出願され、参照によりここに組み込まれた米国仮特許出願第６１／９７９，０１６号の利益を主張する。
【背景技術】
【０００３】
第３世代パートナーシッププロジェクト（“３ＧＰＰ”）リリース８規格（Rel-8 standard）及び／又は３ＧＰＰリリース９規格（3GPP Rel-9  standard）をサポートするロングタームエボリューション（Long-Term  Evolution：“ＬＴＥ”）システムは、ユーザの増加するニーズを満たすためにユニバーサル移動体通信システム（Universal  Mobile  Telecommunications  System：“ＵＭＴＳ”）の性能を更に拡張するためのＵＭＴＳの後継として、３ＧＰＰによって開発される。ＬＴＥシステムは、高いデータ転送率、低い呼出し時間（latency：待ち時間）、パケット最適化、及び改良されたシステム容量と通信エリア（coverage）を提供する、新しい無線通信インタフェース及び新しい無線通信ネットワーク構造を含む。ＬＴＥシステムでは、進化型ユニバーサル地上無線アクセスネットワーク（Evolved  Universal  Terrestrial  Radio  Access  Network：“Ｅ−ＵＴＲＡＮ”）として知られている無線アクセスネットワークが、複数のユーザ装置（User  Equipment：“ＵＥ”）と通信するとともに、非アクセス層（Non-Access  Stratum：“ＮＡＳ”）制御のために、移動管理装置（Mobility  Management  Entity：“ＭＭＥ”）、サービングゲートウェイ（serving  gateway）などを有するコアネットワークと通信するための、複数の進化型ノードＢ（evolved  Node-B：“ｅＮＢ”）を含む。
【０００４】
ＬＴＥアドバンスト（LTE-advanced：“ＬＴＥ−Ａ”）システムは、その名が示すとおり、ＬＴＥシステムの進化型である。ＬＴＥ−Ａシステムは、電力状態の間のより速い切り替えを目標とし、ｅＮＢの通信エリア境界における性能を向上させ、そしてキャリアアグリゲーション（Carrier  Aggregation：“ＣＡ”）、セル間協調（Coordinated  MultiPoint：“ＣｏＭＰ”）送受信、アップリンクマイモ（uplink  multiple-input  multiple-output：アップリンク多入力多出力：“ＵＬ−ＭＩＭＯ”）などのような高度な技術を含む。ＬＴＥ−ＡシステムにおいてＵＥ及びｅＮＢが相互に通信するために、ＵＥ及びｅＮＢは、３ＧＰＰリリース１０規格（3GPP Rel-10 standard）又はそれ以降のバージョンのようなＬＴＥ−Ａシステムのために開発された規格をサポートする必要がある。
【先行技術文献】
【非特許文献】
【０００５】
【非特許文献１】3GPP  TS  36.331  V12.1.0  (2014-03)  Technical  Specification  3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  specification  (Release  12)
【非特許文献２】3GPP  TSG-RAN  WG2  #85bis  R2-141857  Valencia，Spain，31  March-04  April  2014  CR-Form-v11  CHANGE  REQUEST
【発明の概要】
【発明が解決しようとする課題】
【０００６】
ＵＥは、ＵＥが二重の相互通信能力（connectivity：接続性）によって構成される場合に、２つのｅＮＢにより送信されたパケット（例えば、トランスポートブロック（transport  block：ＴＢ）を受信し得る。二重の相互通信能力が操作される場合に、ＵＥのスループットは向上する。しかしながら、ＵＥとｅＮＢとの間の無線リンクは、無線リンクの特性が原因で安定していない可能性がある。例えば、無線リンク故障が、ＵＥと複数のｅＮＢのうちの１つとの間で起こり得る。ＵＥは、二重の相互通信能力がＵＥと複数のｅＮＢとによって実現される場合に、どのように無線リンク故障を報告すればよいのかを知らない。別の実例において、ＵＥは、複数のｅＮＢのうちの１つとランダムアクセス手順（random  access  procedure）を完了することができない可能性がある。同様に、ＵＥは、どのようにランダムアクセス手順の失敗を処理すればよいのかを知らない。別の実例において、ＵＥは、例えば、再伝送の最大数に達する場合に、無線リンク制御（ＲＬＣ）パケットデータユニット（ＰＤＵ）を複数のｅＮＢのうちの１つに送信することができない可能性がある。もしＲＬＣ  ＰＤＵの再伝送が解決されることができないならば、ＵＥと複数のｅＮＢとの間の通信は、手続きに従って進行されない可能性がある。
【０００７】
したがって、動作の上記の失敗をどのように解決するかは、議論されるべき重要な話題である。
【課題を解決するための手段】
【０００８】
本発明は、したがって上記の問題を解決するために、リンク故障を処理する方法を提供する。
【０００９】
リンク故障を処理するための通信装置は、命令を格納するための記憶装置と、記憶装置に結合された処理手段とを備える。処理手段は、記憶装置に格納される命令を実行するように構成される。命令は、第１の上りリンク（ＵＬ）キャリア及び第１の下りリンク（ＤＬ）キャリアによって主基地局と通信し、第２のＵＬキャリア及び第２のＤＬキャリアによって補助基地局と通信し、主基地局と通信している間に補助基地局に関連したリンク故障を検出し、そしてリンク故障を報告するために、主基地局に対して補助基地局に関連したリンク故障の情報及び測定結果の情報を送信することを含む。
【００１０】
通信装置のためのリンク故障を処理する方法は、第１の上りリンク（ＵＬ）キャリア及び第１の下りリンク（ＤＬ）キャリアによって主基地局と通信するステップと、第２のＵＬキャリア及び第２のＤＬキャリアによって補助基地局と通信するステップと、前記主基地局と通信している間に前記補助基地局に関連したリンク故障を検出するステップと、前記リンク故障を報告するために、前記主基地局に対して前記補助基地局に関連した前記リンク故障の情報及び測定結果の情報を送信するステップとを含む。
【００１１】
リンク故障を処理するための通信装置は、命令を格納するための記憶装置と、記憶装置に結合された処理手段とを備える。処理手段は、記憶装置に格納される命令を実行するように構成される。命令は、第１の上りリンク（ＵＬ）キャリア及び第１の下りリンク（ＤＬ）キャリアによって主基地局と通信し、第２のＵＬキャリア及び第２のＤＬキャリアによって補助基地局と通信し、前記主基地局と通信している間に前記補助基地局に関連したリンク故障を検出し、そして前記主基地局又は別の主基地局に対して送信されるメッセージにおいて前記リンク故障の情報の利用可能性を示さないことを含む。
【００１２】
本発明のこれら及び他の目的は、様々な図表及び図面において例示される好ましい実施例の下記の詳細な説明を読んだあとで、当業者に疑いなく明らかになるであろう。
【図面の簡単な説明】
【００１３】
【図１】本発明の実例による無線通信システムの概略図である。
【図２】本発明の実例による通信装置の概略図である。
【図３】本発明の実例による処理のフローチャートである。
【図４】本発明の実例による処理のフローチャートである。
【発明を実施するための形態】
【００１４】
図１は、本発明の実例による無線通信システム１０の概略図である。無線通信システム１０は、手短に言えば、ユーザ装置（ＵＥ）１００と、基地局（ＢＳ）１０２及び１０４とを含む。図１において、ＵＥ１００と、ＢＳ１０２及び１０４は、単に無線通信システム１０の構造を例示するために利用される。実際には、ＢＳ１０２及び／又はＢＳ１０４は、進化型ＵＴＲＡＮ（Ｅ−ＵＴＲＡＮ）、ロングタームエボリューション（ＬＴＥ）システム、ＬＴＥアドバンスト（LTE-advanced：ＬＴＥ−Ａ）システム、又はＬＴＥ−Ａシステムの進化型における、進化型ＮＢ（ｅＮＢ）及び／又は中継局であり得る。無線通信システム１０は、時分割二重化（time-division  duplexing：ＴＤＤ  ）システム（すなわち、ＴＤＤモードが実行される）、又は周波数分割二重化（frequency-division  duplexing：ＦＤＤ）システム（すなわち、ＦＤＤモードが実行される）であり得る。図１において、ＢＳ１０２とＢＳ１０４のサービスエリア（coverage  area）は、部分的に重複され得る。
【００１５】
図１において示されるように、ＵＥ１００は、ＵＥ１００に設定された二重の相互通信能力に従って、ＢＳ１０２及びＢＳ１０４と同時に通信するように構成され得る。すなわち、ＵＥ１００は、ＢＳ１０２及び１０４の両方を通して送信／受信を実行し得る。例えば、ＵＥ１００は、二重の相互通信能力に従って、ＢＳ１０２及び１０４からパケット（例えば、トランスポートブロック（ＴＢ））を受信し得るか、又はＵＥ１００は、二重の相互通信能力に従って、ＢＳ１０２及び１０４にパケット（例えば、ＴＢ）を送信し得る。概して、それは、ＵＥ１００がＢＳ１０２及び１０４の両方からパケットを受信する場合に、ＵＥ１００が、二重の相互通信能力に従って、ＢＳ１０２の少なくとも１つのセル及びＢＳ１０４の少なくとも１つのセルからパケットを受信することを意味する。同様に、それは、ＵＥ１００がＢＳ１０２及び１０４の両方にパケットを送信する場合に、ＵＥ１００が、二重の相互通信能力に従って、ＢＳ１０２の少なくとも１つのセル及び／又はＢＳ１０４の少なくとも１つのセルにパケットを送信することを意味する。さらに、３ＧＰＰにおいて定義された二重の相互通信能力に従って、ＢＳ１０２及びＢＳ１０４のうちの１つは主ｅＮＢ（Master  eNB：ＭｅＮＢ）であり得るとともに、ＢＳ１０２及びＢＳ１０４のうちの他方は補助ｅＮＢ（Secondary  eNB：ＳｅＮＢ）であり得る。ＵＥ１００と通信するＭｅＮＢの（複数の）セルのうちの１つは、一次セル（primary  cell：ＰＣｅｌｌ）であり得るとともに、ＭｅＮＢの（複数の）他のセル（利用可能であるならば）は、（複数の）二次セル（secondary  cell：ＳＣｅｌｌ）であり得る。ＵＥ１００と通信するＳｅＮＢの（複数の）セルのうちの１つは、一次のＳＣｅｌｌ（primary  SCell：ＰＳＣｅｌｌ）であり得るとともに、ＳｅＮＢの（複数の）他のセル（利用可能であるならば）は、ＳＣｅｌｌであり得る。
【００１６】
ＵＥ１００は、低コスト装置（例えば、機械型通信（machine  type  communication：ＭＴＣ）装置）、端末間（device-to-device：Ｄ２Ｄ）装置、携帯電話、ラップトップ、タブレットコンピュータ、電子ブック、ポータブルコンピュータシステム、又はそれらの組み合わせであり得る。さらに、ＵＥ１００、そしてＢＳ１０２又はＢＳ１０４は、その伝送方向に応じて、送信器又は受信器とみなされることができ、例えば、アップリンク（ＵＬ）に関して、ＵＥ１００は送信器であり、そしてＢＳ１０２及び／又はＢＳ１０４は受信器であるとともに、ダウンリンク（ＤＬ）に関して、ＢＳ１０２及び／又はＢＳ１０４は送信器であり、そしてＵＥ１００は受信器である。
【００１７】
図２は、本発明の実例による通信装置２０の概略図である。通信装置２０は、図１において示されるＵＥ１００、ＢＳ１０２、及び／又はＢＳ１０４であり得るが、しかし、これに限定されない。通信装置２０は、マイクロプロセッサ又は特定用途向け集積回路（Application  Specific  Integrated  Circuit：ＡＳＩＣ）のような処理手段２００、記憶装置２１０、及び通信インタフェース装置２２０を含み得る。記憶装置２１０は、処理手段２００によってアクセスされて実行されるプログラムコード２１４を格納し得るあらゆるデータ記憶装置であり得る。記憶装置２１０の例は、加入者識別モジュール（Subscriber Identity Module：“ＳＩＭ”）、読出し専用メモリ（ＲＯＭ）、フラッシュメモリ、ランダムアクセスメモリ（ＲＡＭ）、コンパクトディスク読み取り専用メモリ（ＣＤ−ＲＯＭ）、デジタル多目的ディスク−ＲＯＭ（ＤＶＤ−ＲＯＭ）、ブルーレイディスク−ＲＯＭ（ＢＤ−ＲＯＭ）、磁気テープ、ハードディスク、光学データ記憶装置、不揮発性記憶装置、非一時的なコンピュータ読み取り可能媒体（例えば、有形の媒体）などを含むが、しかしそれらに限定されない。通信インタフェース装置２２０は、好ましくはトランシーバであり、そして処理手段２００の処理結果に従って信号（例えば、データ、信号、メッセージ、及び／又はパケット）を送信及び受信するために使用される。
【００１８】
図３は、本発明の実例による処理３０のフローチャートである。処理３０は、リンク故障を処理するために、通信装置（例えば、ＵＥ１００）において利用され得る。処理３０は、プログラムコード２１４にコンパイルされ得るとともに、下記のステップを含む。
【００１９】
ステップ３００：開始。
【００２０】
ステップ３０２：第１のＵＬキャリア及び第１のＤＬキャリアによって主ＢＳと通信する。
【００２１】
ステップ３０４：第２のＵＬキャリア及び第２のＤＬキャリアによって補助ＢＳと通信する。
【００２２】
ステップ３０６：主ＢＳと通信している間に補助ＢＳに関連したリンク故障を検出する。
【００２３】
ステップ３０８：リンク故障を報告するために、主ＢＳに対して補助ＢＳに関連したリンク故障の情報及び測定結果の情報を送信する。
【００２４】
ステップ３１０：終了。
【００２５】
処理３０によれば、通信装置は、第１のＵＬキャリア及び第１のＤＬキャリアによって主ＢＳ（例えば、ＢＳ１０２）と通信し、第２のＵＬキャリア及び第２のＤＬキャリアによって補助ＢＳ（例えば、ＢＳ１０４）と通信する。通信装置は、主ＢＳと通信している間に補助ＢＳに関連した（例えば、通信装置と補助ＢＳとの間で発生した）リンク故障（例えば、無線リンク故障）を検出し得る。そして、リンク故障を報告するために、通信装置は、主ＢＳに対して補助ＢＳに関連したリンク故障の情報及び測定結果の情報を送信する。すなわち、通信装置は、リンク故障を報告するために、主ＢＳに対して、（例えば、リンク故障を示すための）リンク故障の情報及び（例えば、リンク故障を処理するための）測定結果の情報を提供する。したがって、リンク故障の報告を受けたあとで、主ＢＳは、測定結果の情報に従ってリンク故障を処理することができる。
【００２６】
主ＢＳは、リンク故障が再度発生することを回避するために、測定結果の情報に従って様々な方法でリンク故障を処理し得る。第１の実例において、主ＢＳは、第２のＵＬキャリア及び第２のＤＬキャリアを、もし測定結果がこれらのキャリアの品質が良くないことを示すならば解放するように、ＵＥを再設定し得る。第２の実例において、主ＢＳは、もし測定結果が第３のＤＬキャリアの品質が良いことを示すならば、第２のＵＬキャリア及び第２のＤＬキャリアを、それぞれ第３のＵＬキャリア及び第３のＤＬキャリアに交換するように、ＵＥを再設定し得る。第３の実例において、主ＢＳは、もし測定結果が第２のＤＬキャリアの品質が今まで通り良いことを示すならば、第２のＵＬキャリア及び第２のＤＬキャリアを使用するように、今まで通りＵＥを再設定し得る。主ＢＳは、もし測定結果におけるＤＬキャリアの測定値が所定の値より大きいならば、ＤＬキャリアの品質が良いことを判定し得る。
【００２７】
第１のＵＬキャリア及び第１のＤＬキャリアは、主ＢＳのセルに属するコンポーネントキャリア（component  carrier）であり得る。第２のＵＬキャリア及び第２のＤＬキャリアは、補助ＢＳのセルに属するコンポーネントキャリアであり得る。一実例において、主ＢＳは主ｅＮＢ（ＭｅＮＢ）であり得るとともに、補助ＢＳは補助ｅＮＢ（ＳｅＮＢ）であり得る。ＭｅＮＢのセルはＰＣｅｌｌであり得るとともに、ＳｅＮＢのセルはＰＳＣｅｌｌであり得る。通信装置とＭｅＮＢとの間には無線リソース制御（radio  resource  control：ＲＲＣ）接続が存在し得るとともに、通信装置は、ＭｅＮＢ及びＳｅＮＢと通信する、すなわち二重の相互通信能力を有するように構成され得る。
【００２８】
さらに、リンク故障の情報は第１のメッセージに含まれ得るとともに、測定結果の情報は第２のメッセージに含まれ得る。第１のメッセージ及び第２のメッセージは、ＲＲＣメッセージであり得る。通信装置は、ＲＲＣ接続によって、ＲＲＣメッセージをＭｅＮＢに送信し得る。その代りに、リンク故障の情報及び測定結果の情報は、単一のメッセージ内に存在し得る。単一のメッセージは、“SCGFailureInfomration”メッセージであり得る。通信装置は、ＲＲＣ接続によって、単一のメッセージをＭｅＮＢに送信し得る。ＲＲＣ接続は、少なくとも１つのシグナリング無線ベアラ（signaling  radio  bearer：ＳＲＢ）を含み得るとともに、リンク故障の前に確立される。
【００２９】
本発明の実現は、上記の説明に限定されない。
【００３０】
一実例において、通信装置は、リンク故障を検出したあとで、主ＢＳに対してリンク故障の情報を含む第１のメッセージを送信し得る。それから、主ＢＳは、リンク故障の情報に応答して、リクエストメッセージを通信装置に送信する。通信装置は、リクエストメッセージに応答して、測定結果の情報を主ＢＳに対して送信する。リクエストメッセージは、同様に、ＲＲＣメッセージ、例えばUEInformationRequestであり得る。手短に言えば、通信装置は、リクエストメッセージに従って、第２のメッセージを主ＢＳに対して送信する。すなわち、通信装置は、初めにリンク故障のみを主ＢＳに示す。通信装置は、もし主ＢＳからのリクエストメッセージが受信されるならば、主ＢＳに対して測定結果の情報を提供する。第１のメッセージは、リクエストメッセージを使用することによって測定結果の情報を回収するように主ＢＳ又は別の主ＢＳに通知するために、測定結果の情報の利用可能性を更に含み得る。
【００３１】
処理３０におけるリンク故障は限定されない。様々な種類のリンク故障が存在する。一実例において、リンク故障は、通信装置のタイマの満了に起因する、セル、例えばＰＳＣｅｌｌの第２のＤＬキャリア上の無線リンク故障を含み得る。一実例において、通信装置は、補助ＢＳと通信する場合に、補助ＢＳに対してセルの第２のＵＬキャリア上でランダムアクセス手順を実行し得るとともに、リンク故障は、第２のＵＬキャリア上のランダムアクセス手順に関連したランダムアクセス問題を含み得る。一実例において、リンク故障は、第２のＵＬキャリア上の再伝送が最大数に達する無線リンク制御（ＲＬＣ）問題を含み得る。上記で説明されたように、リンク故障の情報は、リンク故障についての故障の種類を示し得る。言い換えれば、リンク故障の情報は、通信装置によって検出された、第２のＤＬキャリア上の無線リンク故障、第２のＵＬキャリア上のランダムアクセス問題、又は第２のＵＬキャリア上のＲＬＣ問題を示し得る。さらに、リンク故障の情報は、補助ＢＳによって割り当てられたセル無線ネットワーク一時識別子（Cell  Radio  Network  Temporary  Identifier：Ｃ−ＲＮＴＩ）を更に含み得るか、又は含まないかもしれない。
【００３２】
処理３０における測定結果の情報の詳細は限定されない。一実例において、測定結果の情報は、補助ＢＳの少なくとも１つのセルの（複数の）ＤＬ信号に関する（複数回の）測定に基づく（複数の）測定値を含み得る。（複数の）測定値は、補助ＢＳの少なくとも１つのセルの、基準信号受信電力（Reference  Signal  Received  Power：ＲＳＲＰ）及び基準信号受信品質（Reference  Signal  Received  Quality：ＲＳＲＱ）のうちの少なくとも１つを含み得る。さらに、もし補助ＢＳがＳｅＮＢであるならば、少なくとも１つのセルは１つ又は複数のＳＣｅｌｌを含み得るとともに、ここで、（複数の）ＳＣｅｌｌのうちの１つがＰＳＣｅｌｌになり得る。
【００３３】
処理３０におけるリンク故障の情報及び測定結果の情報の詳細は限定されない。例えば、測定結果の情報は、（複数の）測定結果が対応する補助ＢＳの少なくとも１つのセルを識別するために、少なくとも１つのセルの各々の、グローバルセル識別子、物理セル識別子、及び搬送周波数のうちの少なくとも１つを含み得る。測定結果の情報は、通信装置の位置情報を更に含み得る。例えば、位置情報は、通信装置の位置座標及び／又は水平速度を含み得る。
【００３４】
図４は、本発明の実例による処理４０のフローチャートである。処理４０は、リンク故障を処理するために、通信装置（例えば、ＵＥ１００）において利用され得る。処理４０は、プログラムコード２１４にコンパイルされ得るとともに、下記のステップを含む。
【００３５】
ステップ４００：開始。
【００３６】
ステップ４０２：第１のＵＬキャリア及び第１のＤＬキャリアによって主ＢＳと通信する。
【００３７】
ステップ４０４：第２のＵＬキャリア及び第２のＤＬキャリアによって補助ＢＳと通信する。
【００３８】
ステップ４０６：主ＢＳと通信している間に補助ＢＳに関連したリンク故障を検出する。
【００３９】
ステップ４０８：主ＢＳ又は別の主ＢＳに対して送信されるメッセージにおいてリンク故障の情報の利用可能性を示さない。
【００４０】
ステップ４１０：終了。
【００４１】
処理４０によれば、通信装置は、第１のＵＬキャリア及び第１のＤＬキャリアによって主ＢＳ（例えば、ＢＳ１０２）と通信し、第２のＵＬキャリア及び第２のＤＬキャリアによって補助ＢＳ（例えば、ＢＳ１０４）と通信する。通信装置は、主ＢＳと通信している間に補助ＢＳに関連した、例えば通信装置と補助ＢＳとの間で発生した、リンク故障（例えば、無線リンク故障）を検出し得る。そして、通信装置は、主ＢＳ又は別の主ＢＳに対して送信されるメッセージにおいてリンク故障の情報の利用可能性を示さない。すなわち、通信装置は、主ＢＳ又は別の主ＢＳに対して、補助ＢＳに関連したリンク故障の利用可能性を通知しない。したがって、主ＢＳ又は別の主ＢＳは、リンク故障の情報を含む応答メッセージを送信することを通信装置に要求するためのリクエストメッセージを送信しない。通信装置が補助ＢＳに関連したリンク故障の情報の利用可能性を通知しないので、主ＢＳ又は別の主ＢＳが不正確にリンク故障の情報を取得し得るという問題が回避される。さらに、別の問題は、もし通信装置が処理３０に従ってリンク故障の情報を送信し、主ＢＳがリンク故障の情報の利用可能性に応答してリクエストメッセージを送信することが原因で、通信装置が主ＢＳに対してリンク故障の情報を再度送信するならば、リンク故障の情報の二重の報告になるであろうということである。別の問題も同様に回避される。
【００４２】
一実例において、リンク故障の情報の利用可能性は、“rlf-Info-Available”を含み得るとともに、メッセージは、“RRCConnectionReconfigurationComplete”メッセージ、“RRCConnectionReestablishmentComplete”メッセージ、又は“RRCConnectionSetupComplete”メッセージであり得る。主ＢＳはＭｅＮＢであり得るとともに、補助ＢＳはＳｅＮＢであり得る。第１のＵＬキャリア及び第１のＤＬキャリアは、ＭｅＮＢのＰＣｅｌｌのコンポーネントキャリアであり得る。第２のＵＬキャリア及び第２のＤＬキャリアは、ＳｅＮＢのＰＳＣｅｌｌのコンポーネントキャリアであり得る。リクエストメッセージは“UEInformationRequest”メッセージであり得るとともに、応答メッセージは“UEInformationResponse”メッセージであり得る。すなわち、通信装置は、リンク故障がＳｅＮＢに関連している場合に、“rlf-Info-Available”を、ＭｅＮＢに対して送信される“RRCConnectionReconfigurationComplete”メッセージ及び／又は“RRCConnectionSetupComplete”メッセージに含まない。したがって、ＭｅＮＢ又は別のＭｅＮＢは、通信装置に対して“UEInformationRequest”メッセージを送信しない。
【００４３】
本発明の実現は、上記の説明に限定されない。
【００４４】
処理４０におけるリンク故障は限定されない。様々な種類のリンク故障が存在する。一実例において、リンク故障は、通信装置のタイマの満了に起因する、セル、例えばＰＳＣｅｌｌの第２のＤＬキャリア上の無線リンク故障を含み得る。一実例において、通信装置は、補助ＢＳと通信する場合に、補助ＢＳに対してセルの第２のＵＬキャリア上でランダムアクセス手順を実行し得るとともに、リンク故障は、第２のＵＬキャリア上のランダムアクセス手順に関連したランダムアクセス問題を含み得る。一実例において、リンク故障は、第２のＵＬキャリア上の再伝送の最大数に達するＲＬＣ問題を含み得る。上記で説明されたように、リンク故障の情報は、リンク故障についての故障の種類を示し得る。言い換えれば、リンク故障の情報は、通信装置によって検出された、第２のＤＬキャリア上の無線リンク故障、第２のＵＬキャリア上のランダムアクセス問題、又は第２のＵＬキャリア上のＲＬＣ問題を示し得る。さらに、リンク故障の情報は、補助ＢＳによって割り当てられたＣ−ＲＮＴＩを更に含み得るか、又は含まないかもしれない。
【００４５】
処理４０において送信されないリンク故障の情報の詳細は限定されない。一実例において、リンク故障の情報は、補助ＢＳの少なくとも１つのセルに関連し得る。例えば、もし補助ＢＳがＳｅＮＢであるならば、少なくとも１つのセルは１つ又は複数のＳＣｅｌｌを含み得るとともに、ここで、（複数の）ＳＣｅｌｌのうちの１つがＰＳＣｅｌｌになり得る。リンク故障の情報は、少なくとも１つのセルの各々の、グローバルセル識別子、物理セル識別子、及び搬送周波数のうちの少なくとも１つを含み得る。
【００４６】
さらに、通信装置は、主ＢＳに関連した（例えば、通信装置と主ＢＳとの間で発生した）別のリンク故障を検出し、主ＢＳ又は別の主ＢＳに対して別のリンク故障の情報の利用可能性を示し得る。すなわち、通信装置は、主ＢＳ又は別の主ＢＳに対して主ＢＳに関連したリンク故障の利用可能性を通知するが、しかし、主ＢＳ又は別の主ＢＳに対して補助ＢＳに関連したリンク故障の利用可能性を通知しない。例えば、ＳｅＮＢと通信する間に、通信装置は、ＭｅＮＢのセルの第１のＤＬキャリア上の無線リンク故障、ＭｅＮＢに対してＭｅＮＢのセルの第１のＵＬキャリア上でランダムアクセス手順を実行しているときのランダムアクセス問題、又はＭｅＮＢに対してＭｅＮＢのセルの第１のＵＬキャリア上でＲＬＣ  ＰＤＵを送信するときのＲＬＣ問題を検出し得る。通信装置は、ＭｅＮＢ又は別のＭｅＮＢに“RRCConnectionReestabishmentRequest”メッセージを送信することによって、ＲＲＣ接続再確立手順を実行し得る。通信装置は、ＲＲＣ接続再確立手順の“RRCConnectionReestablishmentComplete”メッセージに、“rlf-Info-Available”を含み得る。さらに、ＲＲＣ接続再確立手順を行ったあとで、もし通信装置がＭｅＮＢ又は別のＭｅＮＢに対してリンク故障の情報を送信していないならば、通信装置は、ＭｅＮＢ又は別のＭｅＮＢから受信された“RRCConnectionReconfiguration”メッセージに応答する“RRCConnectionReconfigurationComplete”メッセージに、“rlf-Info-Available”を含み得る。ＲＲＣ接続再確立手順を行ったあとで、もし通信装置がＭｅＮＢ又は別のＭｅＮＢに対してリンク故障の情報を送信していないならば、通信装置は、ＭｅＮＢ又は別のＭｅＮＢから受信された“RRCConnectionSetup”メッセージに応答する“RRCConnectionSetupComplete”メッセージに、“rlf-Info-Available”を含み得る。
【００４７】
上記で言及されたキャリア（ＵＬキャリア又はＤＬキャリア）は、ＦＤＤモードのためのＦＤＤキャリア、又はＴＤＤモードのためのＴＤＤキャリアであり得る。ＦＤＤキャリアは、同じ伝送方向（例えば、ＵＬ又はＤＬ）を有するサブフレームを含み得る。ＴＤＤキャリアは、異なる伝送方向を有するサブフレームを含み得るとともに、サブフレームの伝送方向は、ＴＤＤキャリアのＵＬ／ＤＬ構成に従って決定される。
【００４８】
当業者は、上記の説明及び実施例に関して、組み合わせ、修正、及び／又は変更を容易に行うはずである。提案されたステップを含む処理の上記のステップは、ハードウェア、ハードウェアデバイスとハードウェアデバイス上に読み出し専用のソフトウェアとして存在するコンピュータ命令及びデータとの組み合わせとして知られているファームウェア、又は電子システムであろう手段によって実現され得る。ハードウェアの例は、超小型回路、マイクロチップ、又はシリコンチップとして知られているアナログ回路、デジタル回路、及びそれらの混在回路を含み得る。電子システムの例は、システムオンチップ（System On Chip：“ＳＯＣ”）、システムインパッケージ（System in Package：“ＳｉＰ”）、コンピュータオンモジュール（Computer On Module：“ＣＯＭ”）、及び通信装置２０を含み得る。処理３０及び処理４０は、上記で説明されたように、問題を解決するために一緒に組み合わされ得る。
【００４９】
総括すると、本発明は、リンク故障を処理する方法を提供する。通信装置は、ＢＳが適切にリンク故障を処理することができ、情報の誤った処理が回避されるように、本発明に従って、ＢＳに対してリンク故障の情報を送信する。したがって、通信装置及びＢＳの動作は、手続きに従って実行される。
【００５０】
当業者は、本発明の教示を保持しながらデバイス及び方法の多くの修正及び変更が行われ得ることに容易に気づくことになる。したがって、上記の開示は、添付された特許請求の範囲の境界及び範囲によってのみ限定されると解釈されるべきである。
【符号の説明】
【００５１】
１０    無線通信システム
２０    通信装置
１００    ユーザ装置（ＵＥ）
１０２    基地局（ＢＳ）
２００    処理手段
２１０    記憶装置
２１４    プログラムコード
２２０    通信インタフェース装置
【図１】
2015204631.tif 000003
【図２】
2015204631.tif 000004
【図３】
2015204631.tif 000005
【図４】
2015204631.tif 000006
【外国語明細書】
2015204631000001.pdf